(57)【要約】   【課題】構成が簡単で、長い材料を端から結束物を入れることなく、対象物の大きさに合わせて結束したり、結束を解除し1本のゴム紐の伸縮性による結束力を容易に数倍に増やすことが可能なオープンフリーバンドを提供する。  【解決手段】一本の伸縮性のゴム紐1を引き伸ばした状態で貫通可能な大きさの開口を有する紐止2に貫通させ、前記ゴム紐1の両端に端止具３を設けた形で構成されている。【選択図】図１
2016159966.tif 000002
【特許請求の範囲】
【請求項１】
一本の伸縮性のゴム紐を、前記ゴム紐を引き伸ばした状態で貫通可能な大きさの貫通穴を有する紐止に貫通させて、前記ゴム紐の両端に端止具を設けていることを特徴とするオープンフリーバンド。
【請求項２】
前記ゴム紐の断面は丸、三角、四角、数本を束ねた物を含めた形状も可能で、材質は伸縮性を有し、伸びたときに断面が縮小し戻したときに断面が最大になるゴム系及び被覆したスプリングの金属系及びプラ系を含めることを特徴とする請求項１に記載のオープンフリーバンド。
【請求項３】
前記ゴム紐の両端の前記端止具は、引っ掛けるためのフック型又は引っ掛けられるためのリング型を有し、フック型の中にはフックしている曲り部が前記紐止の貫通した穴の貫通穴より大きく、前記ゴム紐の太さより小さい形状の前記曲り部を設けることが可能なフックを有したすることを特徴とする、請求項１、請求項２に記載のオープンフリーバンド。
【請求項４】
前記ゴム紐を引き伸ばした状態で貫通可能な大きさの開口を有する前記紐止は、前記貫通穴の内面が平ら又は凸凹になっており、外側の形状は球形、円筒形、さいころ形まで各種の立体的形状が可能で、前記紐止自体に引っ掛けるためのフックや、引っ掛けられるためのリングを設けたもの及び、差込部を設けることも可能な前記紐止を有することを特徴とする、請求項１、請求項２、請求項３に記載のオープンフリーバンド。
【発明の詳細な説明】
【技術分野】
【０００１】
本発明は、ゴム紐を利用した結束バンドに関するものである。
【背景技術】
【０００２】
従来には、ゴム紐の伸縮性を利用した結束する対象物の大きさに合わせて結束したり、結束を解除したりすることが可能な、特許文献1や特許文献2などが提案されている。
【先行技術文献】
【特許文献】
【０００３】
【特許文献１】特開２００３−１０４３９８号公報
【特許文献１】実用新案登録第３１７４９９６号公報
【発明の概要】
【発明が解決しようとする課題】
【０００４】
特許文献1と特許文献2は、袋などの口を止めるためなど輪ゴムに代わるもので、決められたゴム紐の間に結束部分を入れてビーズ又は位置決め部材を移動させて結束する構成になっており、長い材料を中ほどで結束する場合に、ゴム紐の伸縮力の数倍以上の力で結束する時には不向きである。
【課題を解決するための手段】
【０００５】
本発明のオープンフリーバンドは、一本の伸縮性のゴム紐を、前記ゴム紐を引き伸ばした状態で貫通可能な大きさの貫通穴を有する紐止に貫通させて、前記ゴム紐の両端に端止具を設けている。
【０００６】
また、前記ゴム紐の断面は、丸、三角、四角、数本を束ねた物を含めて形状も可能で、材質は伸縮性を有し、伸びたときに断面が縮小し戻したときに断面が最大になるゴム系及び被覆したスプリングの金属系及びプラ系を含める。
【０００７】
前記ゴム紐の両端の前記端止具は、引っ掛けるためのフック型又は引っ掛けられるためのリング型を有し、フック型の中にはフックしている曲り部が前記紐止の貫通した穴の貫通穴より大きく、ゴム紐の太さより小さい形状の前記曲り部を設けることが可能なフックも有する。
【０００８】
前記ゴム紐を引き伸ばした状態で貫通可能な大きさの前記貫通穴を有する前記紐止は、貫通した穴の内面が平ら又は凸凹になっており、外側の形状は球形、円筒形、さいころ形まで各種の立体的形状が可能で、前記紐止自体に引っ掛けるためのフックや、引っ掛けられるためのリングを設けたもの及び、差込部を設けることも可能な前記紐止を有する。
【発明の効果】
【０００９】
本発明の効果は、長い材料を中ほどで結束する場合に材料の端からゴム紐を入れることなく、中ほどだけで作業が出来、一本のゴム紐の伸縮力の数倍の力で簡単に結束することが可能である。
【図面の簡単な説明】
【００１０】
【図１】本発明の一例であるゴム紐に紐止と端止具を設けた全体図である。
【図２】本発明の一部である同図(a)は、フック型の端止具で、同図(b)は、リング型の端止具で、同図(c)は、変形したフック型の端止具である。
【図３】本発明の一部である、同図(a)は、フックとリングを設けた紐止で、同図(b)は、球形の紐止で、同図(c)は、差込部を設けた紐止である。
【図４】本発明の紐止の一部の貫通した穴の内面に凸凹部を設けた紐止にゴム紐を通した側面部分拡大断面図である。
【発明を実施するための最良の形態】
【００１１】
以下、本発明のオープンフリーバンドを、長い材料を中ほどで結束する場合に材料の端からゴム紐(1)を入れることなく、中ほどだけで作業が出来、ゴム紐(1)の伸縮力の数倍以上の力でも簡単に結束するための本発明を、図1、図２、図３、図４で一例を示し、実施の形態について図面を参照しながら詳細に説明する。
【００１２】
図１は、本発明の一例を示したゴム紐(1)を引き伸ばした状態で貫通可能な大きさの貫通穴(21)を設けた紐止(2)にゴム紐(1)を通し、ゴム紐(1)の両端に端止具(3)を取り付けたオープンフリーバンドの全体図である。
【００１３】
図２は、本発明の一部を示したゴム紐(1)の両端に取り付ける端止具(3)で、同図(a)は、先がU字状に曲がったフック型(31)で、引っ掛ける用途を有し、同図(b)は、輪状のリング型(32)でフック状の物に引っ掛けられる用途を有し、同図(c)は、先が曲がっているが、曲がっている先端の曲り部(33)が、貫通穴(21)からゴム紐(1)の太さの大きさを有し、先は少し広がった変形したフック状の変形したフック型で引っ掛ける用途を有している。
【００１４】
図３は、本発明の一部を示したゴム紐(1)を引き伸ばした状態で貫通可能な大きさの貫通穴(21)を設けた紐止(2)で、同図(a)は、紐止(2)自体の外側にフック状及びリング状の引っ掛けるまたは、引っ掛けられる用途を有する突起物をを設けたもので、同図(b)は、紐止(2)の外形が球状で紐止(2)自身全体がフック状の物に引っ掛けられる用途を有したもので、同図(c)は、ゴム紐(1)を限界近くまで引き伸ばした状態のゴム紐(1)が通る差込部(24)が貫通穴(21)まで空いている紐止(2)である。
【００１５】
図４は、本発明の一部を示したゴム紐(1)を引き伸ばした状態で貫通可能な大きさの貫通穴(21)を設けた紐止(2)で貫通穴(21)の内面が平らではなく凸部(23)と凹部(22)を設けた紐止(2)である。
【実施例１】
【００１６】
図１の、本発明の一例を示したオープンフリーバンドの全体図であり、ゴム紐(1)の少なくとも片側の引っ掛ける用途を有する右方のフック型(31)の端止具が、左方のリング型(32)の端止具(3)とげば一番大きな輪になる輪ゴムになり、紐止(2)又は紐止(2)の右側ゴム紐(1)に掛けると、紐止(2)を左右に動かすことによって利用したい輪ゴムの大きさを作ることが出来る。
それは、ゴム紐(1)を引き伸ばした状態で貫通可能な大きさの貫通穴(21)を設けた紐止(2)の貫通穴(21)にゴム紐(1)が通されており、紐止(2)の左右のゴム紐(1)が通常の太さのゴム紐(1)のため壁になり、紐止(2)が左右に動かず固定する。
しかし、ゴム紐(1)を引き伸ばし、ゴム紐(1)の太さが紐止(2)の貫通穴(21)より小さくなれば紐止(2)は左右に簡単に動かせ、伸ばしたゴム紐(1)を放すことによって、紐止(2)を固定することが出来る。
【００１７】
右方のフック型(31)の端止具(3)を、紐止(2)又は紐止(2)の右側に掛けて輪ゴムとして使用とした場合に、紐止(2)は左の通常のゴム紐(1)の壁で紐止(2)が固定され、適切な大きさにした輪ゴムを使用することが出来る。
【実施例２】
【００１８】
図２の、本発明の一部を示した端止具(3)の同図(a)は、先がU字状に曲がったフック型(31)で、引っ掛ける用途を有し、反対側の端止具(3)、紐止(2)、ゴム紐(1)に引っ掛けて利用できる。
同図(b)は、輪状のリンク型(32)でフック状の物に引っ掛けられる用途を有し、反対側の端止具(3)、紐止(2)に設けられたフック状のもの以外に壁から出た釘などの突起物に掛けることも可能である。
同図(c)は、先が曲がっているが、曲がっている先端の曲り部(33)が、貫通穴(21)からゴム紐(1)の太さの大きさのため、ゴム紐(1)に曲り部(33)を掛ければ簡単に外れることはなく、曲り部(33)の曲がりを貫通穴(21)の大きさに近ずけることによって紐止(2)に近い用途に使用可能で、フックの先は少し広がり掛け易くしている。
【実施例３】
【００１９】
図３の本発明の一部を示した紐止(1)の同図(a)は、紐止(1)自体の外側にフック状及びリング状の引っ掛けるまたは、引っ掛けられるられる用途を有する突起物に、ゴム紐(1)の両端に設けられたフック状及びリング状の端止具(3)を掛けることにより、ゴム紐(1)の輪を作ることが可能である。
同図(b)は、紐止(2)の外形が球状で紐止(2)自身全体がフック状の物に引っ掛けられる用途を有し、紐止(2)が通ることが出来ない曲がりを有したフック状の端止具(3)をゴム紐(1)に掛ければ、球状の紐止(2)で端止具(3)が紐止(2)の反対側に行かず、作られたゴム輪を利用することが可能である。
同図(c)は、ゴム紐(1)を限界近くまで引き伸ばした状態のゴム紐(1)が通る差込部が貫通穴(21)まで空いている紐止(2)で、紐止(2)を後からゴム紐(1)に設ける又ははずすことを可能にする用途の差込部(24)で、紐止(1)の形状に関係なく設けることが可能である。
【実施例４】
【００２０】
図４は、本発明の一部を示したゴム紐(1)を引き伸ばした状態で貫通可能な大きさの貫通穴(21)を設けた紐止(2)で貫通穴(21)の内面が平らではなく凸部(23)と凹部(22)を設けた紐止(2)で、貫通穴(21)の大きさを変えないためゴム紐(1)を伸ばした状態で紐止(2)を左右に動かすときは、内面が平らな紐止(2)と変わらないが、ゴム紐(1)の伸ばしをやめて放したときに通常のゴム紐(1)の太さになるゴム紐(1)の壁が凸部(23)と凹部(22)によって増え、紐止(2)の固定する力が増すことが可能である。
貫通穴(21)を設けた紐止(2)で貫通穴(21)の中が平らではなく凸部(23)と凹部(22)を設けることは、紐止(2)の形状には関係なく設けることが可能である。
【実施例５】
【００２１】
上記のことから、本発明のオープンフリーバンドは、ゴム紐(1)の断面の形状は●、▲，■など、どんな形状や太さ、長さにも対応が可能で、そのゴム紐(1)を引き伸ばした状態の形状で貫通可能な大きさの貫通穴(21)を設けた紐止(2)を設ければ、用途によって紐止(2)の形状を決め、それに合わせた端止部(3)を用いれば色々な形状が可能である。
太さや長さは、輪ゴムからトラックに載せる材料を縛る太さのロープに代えて利用することも可能で、紐止(2)の形状も、ズボンのベルトに使う平ゴムに合わせた貫通穴(21)と外形に引っ掛ける又は引っ掛けられ部を設けたバックルを設けたゴムベルトは、コストがやすくでき色々な体系に使用可能なる作業ズボンに使用することが可能である。
細い材料を束ねるのにロープを使用すると車の揺れにより締め付けがゆるくなることがあるが、オープンフリーバンドは常に最小になる力が働き緩む可能性が低くなりる。
また、通常のベルトでは、咳やくしゃみなどで無意識的に腹筋に力が入るときや、立ったり座ったり、重いものを持つときに腹筋に力が入りベルトが切れたり、必要以上におなかを締め付けることがあるが、作業用オープンフリーバンドは、そのような問題を回避しやすくなる。
紐止(2)の中には、球状を変化させてキャラクターの顔や、りんごやみかんなどの果物をかたちどることも可能で、子供や女性にも使用してもらえるような可愛い低コストの販促商品のノベルティグッズに使用することも可能である。
【符号の説明】
【００２２】
１    ゴム紐
２    紐止
３    端止具
２１    貫通穴
２２    凹部
２３    凸部
２４    差込部
３１    フック型
３２    リング型
３３    曲り部
３４    入り口
【図１】
2016159966.tif 000003
【図２】
2016159966.tif 000004
【図３】
2016159966.tif 000005
【図４】
2016159966.tif 000006
【手続補正書】
【提出日】平成27年11月4日(2015.11.4)
【手続補正１】
【補正対象書類名】明細書
【補正対象項目名】全文
【補正方法】変更
【補正の内容】
【発明の詳細な説明】
【技術分野】
【０００１】
本発明は、ゴム紐を利用した結束バンドに関するものである。
【背景技術】
【０００２】
従来には、ゴム紐の伸縮性を利用した結束する対象物の大きさに合わせて結束したり、結束を解除したりすることが可能な、特許文献1や特許文献2などが提案されている。
【先行技術文献】
【特許文献】
【０００３】
【特許文献１】特開２００３−１０４３９８号公報
【特許文献１】実用新案登録第３１７４９９６号公報
【発明の概要】
【発明が解決しようとする課題】
【０００４】
特許文献1と特許文献2は、袋などの口を止めるためなど輪ゴムに代わるもので、決められたゴム紐の間に結束部分を入れてビーズ又は位置決め部材を移動させて結束する構成になっており、長い材料を中ほどで結束する場合に、ゴム紐の伸縮力の数倍以上の力で結束する時には不向きである。
【課題を解決するための手段】
【０００５】
本発明のオープンフリーバンドは、一本のゴム紐の両端に端子具を設け、最低一方にはフック型の前記端止具を設け、両端の前記端止具の間を移動可能な、通常のゴム紐の太さより小さく、伸ばしたゴム紐の太さより大きい貫通穴を設けた紐止を有する。
【０００６】
また、前記フック型の変形の前記端止具は、フック状の下部に通常のゴム紐の太さより小さく、伸ばしたゴム紐の太さより大きい貫通穴に近い内径の曲り部を設けている。
【０００７】
前記紐止は、貫通穴より小さい幅で貫通穴まで空いたスリットの差込部を設けた前記紐止を有する。
【０００８】
前記紐止は、前記貫通穴の内面に凸部と凹部を設けている前記紐止を有する。
【発明の効果】
【０００９】
本発明の効果は、長い材料を中ほどで結束する場合に材料の端からゴム紐を入れることなく、中ほどだけで作業が出来、一本のゴム紐の伸縮力の数倍の力で簡単に結束することが可能である。
【図面の簡単な説明】
【００１０】
【図１】本発明の一例であるゴム紐に紐止と端止具を設けた全体図である。
【図２】本発明の一部である同図(a)は、フック型の端止具で、同図(b)は、リング型の端止具で、同図(c)は、変形したフック型の端止具である。
【図３】本発明の一部である、同図(a)は、フックとリングを設けた紐止で、同図(b)は、球形の紐止で、同図(c)は、差込部を設けた紐止である。
【図４】本発明の紐止の一部の貫通した穴の内面に凸凹部を設けた紐止にゴム紐を通した側面部分拡大断面図である。
【発明を実施するための最良の形態】
【００１１】
以下、本発明のオープンフリーバンドを、長い材料を中ほどで結束する場合に材料の端からゴム紐(1)を入れることなく、中ほどだけで作業が出来、ゴム紐(1)の伸縮力の数倍以上の力でも簡単に結束するための本発明を、図1、図２、図３、図４で一例を示し、実施の形態について図面を参照しながら詳細に説明する。
【００１２】
図１は、本発明の一例を示したゴム紐(1)を引き伸ばした状態で貫通可能な大きさの貫通穴(21)を設けた紐止(2)にゴム紐(1)を通し、ゴム紐(1)の両端に端止具(3)を取り付けたオープンフリーバンドの全体図である。
【００１３】
図２は、本発明の一部を示したゴム紐(1)の両端に取り付ける端止具(3)で、同図(a)は、先がU字状に曲がったフック型(31)で、引っ掛ける用途を有し、同図(b)は、輪状のリング型(32)でフック状の物に引っ掛けられる用途を有し、同図(c)は、先が曲がっているが、曲がっている先端の曲り部(33)が、貫通穴(21)と同様の内径からゴム紐(1)の太さの大きさを有し、先は少し広がった変形したフック状の変形したフック型で引っ掛ける用途を有している。
【００１４】
図３は、本発明の一部を示したゴム紐(1)を引き伸ばした状態で貫通可能な大きさの貫通穴(21)を設けた紐止(2)で、同図(a)は、紐止(2)自体の外側にフック状及びリング状の引っ掛けるまたは、引っ掛けられる用途を有する突起物をを設けたもので、同図(b)は、紐止(2)の外形が球状で紐止(2)自身全体がフック状の物に引っ掛けられる用途を有したもので、同図(c)は、ゴム紐(1)を限界近くまで引き伸ばした状態のゴム紐(1)が通るスリットの差込部(24)が貫通穴(21)まで空いている紐止(2)である。
【００１５】
図４は、本発明の一部を示したゴム紐(1)を引き伸ばした状態で貫通可能な大きさの貫通穴(21)を設けた紐止(2)で貫通穴(21)の内面が平らではなく凸部(23)と凹部(22)を設けた紐止(2)である。
【実施例１】
【００１６】
図１の、本発明の一例を示したオープンフリーバンドの全体図であり、ゴム紐(1)の少なくとも片側の引っ掛ける用途を有する右方のフック型(31)の端止具が、左方のリング型(32)の端止具(3)と繋げば一番大きな輪になる輪ゴムになり、紐止(2)又は紐止(2)の右側ゴム紐(1)に掛けると、紐止(2)を左右に動かすことによって利用したい輪ゴムの大きさを作ることが出来る。
それは、ゴム紐(1)を引き伸ばした状態で貫通可能な大きさの貫通穴(21)を設けた紐止(2)の貫通穴(21)にゴム紐(1)が通されており、紐止(2)の左右のゴム紐(1)が通常の太さのゴム紐(1)のため壁になり、紐止(2)が左右に動かず固定する。
しかし、ゴム紐(1)を引き伸ばし、ゴム紐(1)の太さが紐止(2)の貫通穴(21)より小さくなれば紐止(2)は左右に簡単に動かせ、伸ばしたゴム紐(1)を放すことによって、紐止(2)を固定することが出来る。
【００１７】
右方のフック型(31)の端止具(3)を、紐止(2)又は紐止(2)の右側に掛けて輪ゴムとして使用とした場合に、紐止(2)は左の通常のゴム紐(1)の壁で紐止(2)が固定され、適切な大きさにした輪ゴムを使用することが出来る。
【実施例２】
【００１８】
図２の、本発明の一部を示した端止具(3)の同図(a)は、先がU字状に曲がったフック型(31)で、引っ掛ける用途を有し、反対側の端止具(3)、紐止(2)、ゴム紐(1)に引っ掛けて利用できる。
同図(b)は、輪状のリンク型(32)でフック状の物に引っ掛けられる用途を有し、反対側の端止具(3)、紐止(2)に設けられたフック状のもの以外に壁から出た釘などの突起物に掛けることも可能である。
同図(c)は、先が曲がっているが、曲がっている先端の曲り部(33)が、貫通穴(21)と同様の内径からゴム紐(1)の太さの大きさまでのため、ゴム紐(1)に曲り部(33)を掛ければ簡単に外れることはなく、曲り部(33)の曲がりを貫通穴(21)の大きさに近ずけることによって紐止(2)に近い用途に使用可能で、フックの先は少し広がり掛け易くしている。
【実施例３】
【００１９】
図３の本発明の一部を示した紐止(1)の同図(a)は、紐止(1)自体の外側にフック状及びリング状の引っ掛けるまたは、引っ掛けられる用途を有する突起物に、ゴム紐(1)の両端に設けられたフック状及びリング状の端止具(3)を掛けることにより、ゴム紐(1)の輪を作ることが可能である。
同図(b)は、紐止(2)の外形が球状で紐止(2)自身全体がフック状の物に引っ掛けられる用途を有し、紐止(2)が通ることが出来ない曲がりを有したフック状の端止具(3)をゴム紐(1)に掛ければ、球状の紐止(2)で端止具(3)が紐止(2)の反対側に行かず、作られたゴム輪を利用することが可能である。
同図(c)は、ゴム紐(1)を限界近くまで引き伸ばした状態のゴム紐(1)が通るスリットの差込部(24)が貫通穴(21)まで空いている紐止(2)で、紐止(2)を後からゴム紐(1)に設ける又ははずすことを可能にする用途の差込部(24)で、紐止(1)の形状に関係なく設けることが可能である。
【実施例４】
【００２０】
図４は、本発明の一部を示したゴム紐(1)を引き伸ばした状態で貫通可能な大きさの貫通穴(21)を設けた紐止(2)で貫通穴(21)の内面が平らではなく凸部(23)と凹部(22)を設けた紐止(2)で、貫通穴(21)の大きさを変えないためゴム紐(1)を伸ばした状態で紐止(2)を左右に動かすときは、内面が平らな紐止(2)と変わらないが、ゴム紐(1)の伸ばしをやめて放したときに通常のゴム紐(1)の太さになるゴム紐(1)の壁が凸部(23)と凹部(22)によって増え、紐止(2)の固定する力が増すことが可能である。
貫通穴(21)を設けた紐止(2)で貫通穴(21)の中が平らではなく凸部(23)と凹部(22)を設けることは、紐止(2)の形状には関係なく設けることが可能である。
【実施例５】
【００２１】
上記のことから、本発明のオープンフリーバンドは、ゴム紐(1)の断面の形状は●、▲，■など、どんな形状や太さ、長さにも対応が可能で、そのゴム紐(1)を引き伸ばした状態の形状で貫通可能な大きさの貫通穴(21)を設けた紐止(2)を設ければ、用途によって紐止(2)の形状を決め、それに合わせた端止部(3)を用いれば色々な形状が可能である。
太さや長さは、輪ゴムからトラックに載せる材料を縛る太さのロープに代えて利用することも可能で、紐止(2)の形状も、ズボンのベルトに使う平ゴムに合わせた貫通穴(21)と外形に引っ掛ける又は引っ掛けられ部を設けたバックルを設けたゴムベルトは、コストがやすくでき色々な体系に使用可能なる作業ズボンに使用することが可能である。
細い材料を束ねるのにロープを使用すると車の揺れにより締め付けがゆるくなることがあるが、オープンフリーバンドは常に最小になる力が働き緩む可能性が低くなりる。
また、通常のベルトでは、咳やくしゃみなどで無意識的に腹筋に力が入るときや、立ったり座ったり、重いものを持つときに腹筋に力が入りベルトが切れたり、必要以上におなかを締め付けることがあるが、作業用オープンフリーバンドは、そのような問題を回避しやすくなる。
紐止(2)の中には、球状を変化させてキャラクターの顔や、りんごやみかんなどの果物をかたちどることも可能で、子供や女性にも使用してもらえるような可愛い低コストの販促商品のノベルティグッズに使用することも可能である。
【符号の説明】
【００２２】
１    ゴム紐
２    紐止
３    端止具
２１    貫通穴
２２    凹部
２３    凸部
２４    差込部
３１    フック型
３２    リング型
３３    曲り部
３４    入り口
【手続補正２】
【補正対象書類名】特許請求の範囲
【補正対象項目名】全文
【補正方法】変更
【補正の内容】
【特許請求の範囲】
【請求項１】
一本のゴム紐の両端の最低一方にフック型端止具を設け、両端の前期端止具の間を移動可能な、通常のゴム紐の太さより小さく、伸ばしたゴム紐の太さより大きい貫通穴を設けた紐止を有したことを特徴とするオープンフリーバンド。
【請求項２】
前記フック型の変形の前記端止具は、フック状の下部に通常のゴム紐の太さより小さく、伸ばしたゴム紐の太さより大きい貫通穴に近い内径の曲り部を設けたことを特徴とする請求項１に記載のオープンフリーバンド。
【請求項３】
前記紐止は、貫通穴より小さい幅で貫通穴まで空いたスリットの差込部を設けた前記紐止を有することを特徴とする、請求項１または請求項２いずれか１項に記載のオープンフリーバンド。
【請求項４】
前記紐止は、前記貫通穴の内面に凸部と凹部を設けている前記紐止を有することを特徴とする、請求項１または請求項２または請求項３いずれか１項に記載のオープンフリーバンド。
【手続補正３】
【補正対象書類名】図面
【補正対象項目名】図３
【補正方法】変更
【補正の内容】
【図３】
2016159966.tif 000007